(57)【要約】【課題】自車両を車線変更する場合に、自車両と他レーンを走行する他車両との間に自車両が入るスペースが十分にあるか否かを確認できて、安全に車線変更を行うことができる車線変更時の安全制御装置を提供する。【解決手段】安全制御装置１０は、車両に搭載され、車両が走行する自レーンに隣接した他レーンである右レーンと左レーンのうち、いずれか一方の他レーンの路面に対して、車間距離確認パターンを投射するレーザー投射部４０を備える。安全制御装置１０は、右レーンまたは左レーンのうちいずれか一方の他レーンへの投射指示信号を出力するターンシグナルスイッチ２２を備える。安全制御装置１０は、ターンシグナルスイッチ２２の右方向指示ＯＮ信号及び左方向指示ＯＮ信号に基づいて、いずれか一方の他レーンの路面に対して、レーザー投射部４０を制御して車間距離確認パターンを投射させるボデイＥＣＵ２０を備える。【選択図】図１
2017010079.tif 000002
【特許請求の範囲】
【請求項１】
車両に搭載され、前記車両が走行する自レーンに隣接した他レーンである右レーンと左レーンのうち、いずれか一方の他レーンの路面に対して、車間距離確認パターンを投射するプロジェクタと、
前記右レーンまたは左レーンのうちいずれか一方の他レーンへの投射指示信号を出力する投射指示部と、
前記投射指示部の前記投射指示信号に基づいて、前記いずれか一方の他レーンの前記路面に対して、前記プロジェクタを制御して前記車間距離確認パターンを投射させる制御部を備えた車線変更時の安全制御装置。
【請求項２】
前記投射指示部が、ターンシグナルスイッチである請求項１に記載の車線変更時の安全制御装置。
【請求項３】
前記車両の車速を検出する車速センサを備え、
前記制御部は、前記車速が速い場合は、遅い場合に比して、前記車間距離確認パターンを前記車両の進行方向において長くなるように前記プロジェクタを制御する請求項１または請求項２に記載の車線変更時の安全制御装置。
【請求項４】
前記他レーンを走行する後続車両と、前記車両との相対速度を取得する相対速度取得部を備え、
前記制御部は、前記相対速度が正の値の場合は、前記相対速度が０の場合に比して、前記車間距離確認パターンの後端を後方へ位置するように前記プロジェクタを制御する請求項１乃至請求項３のうちいずれか１項に記載の車線変更時の安全制御装置。
【請求項５】
前記他レーンを走行する後続車両と、前記車両との相対速度を取得する相対速度取得部を備え、
前記制御部は、前記相対速度が負の値の場合は、前記相対速度が０の場合に比して、前記車間距離確認パターンの後端を前方へ位置するように前記プロジェクタを制御する請求項１乃至請求項３のうちいずれか１項に記載の車線変更時の安全制御装置。
【発明の詳細な説明】
【技術分野】
【０００１】
本発明は、車両に搭載される車線変更時の安全制御装置に関する。
【背景技術】
【０００２】
従来、自車両の車両操作情報を他車両に報知する描画システムが特許文献１で提案されている。前記描画システムは、自車両が交差点で停止して右折待ち状態であることを検出した場合、前記交差点内の対向車線の路面に対して右折待ち状態であることを示す右折待ちマークを、レーザー光で描画するようにしている。このように対向車線の路面にレーザー光で描画することにより、前記交差点内に入ってくる対向車両に対して、右折車両が存在することを知らせるようにしている。
【先行技術文献】
【特許文献】
【０００３】
【特許文献１】特開２００７−３２３３４２号公報
【発明の概要】
【発明が解決しようとする課題】
【０００４】
ところで、自車両が走行する自レーンから他レーンへ自車両を車線変更する場合、他レーンを走行する後続車との車間距離がわからず、安全に車線変更が可能かどうか分からない場合がある。この場合、車間距離が不十分な状態で自車両を他レーンへ車線変更した場合は、他車両に急減速をさせたり、或いは他車両と接触する虞がある。
【０００５】
本発明の目的は、自車両を車線変更する場合に、自車両と他レーンを走行する後続車両との間に自車両が入るスペースが十分にあるか否かを確認できて、安全に車線変更を行うことができる車線変更時の安全制御装置を提供することにある。
【課題を解決するための手段】
【０００６】
上記問題点を解決するために、本発明の車線変更時の安全制御装置は、車両に搭載され、前記車両が走行する自レーンに隣接した他レーンである右レーンと左レーンのうち、いずれか一方の他レーンの路面に対して、車間距離確認パターンを投射するレーザー投射部と、前記右レーンまたは左レーンのうちいずれか一方の他レーンへの投射指示信号を出力する投射指示部と、前記投射指示部の前記投射指示信号に基づいて、前記いずれか一方の他レーンの前記路面に対して、前記プロジェクタを制御して前記車間距離確認パターンを投射させる制御部を備えているものである。
【０００７】
また、前記投射指示部が、ターンシグナルスイッチであってもよい。
また、前記車両の車速を検出する車速センサを備え、前記制御部は、前記車速が速い場合は、遅い場合に比して、前記車間距離確認パターンを前記車両の進行方向において長くなるように前記プロジェクタを制御することが好ましい。
【０００８】
また、前記他レーンを走行する後続車両と、前記車両との相対速度を取得する相対速度取得部を備え、前記制御部は、前記相対速度が正の値の場合は、前記相対速度が０の場合に比して、前記車間距離確認パターンの後端を後方へ位置するように前記プロジェクタを制御するようにしてもよい。
【０００９】
また、前記他レーンを走行する後続車両と、前記車両との相対速度を取得する相対速度取得部を備え、前記制御部は、前記相対速度が負の値の場合は、前記相対速度が０の場合に比して、前記車間距離確認パターンの後端を前方へ位置するように前記プロジェクタを制御するようにしてもよい。
【発明の効果】
【００１０】
本発明によれば、自車両を車線変更する場合に、自車両と他レーンを走行する後続車両との間に自車両が入るスペースが十分にあるか否かを確認できて、安全に車線変更を行うことができる効果を奏する。
【図面の簡単な説明】
【００１１】
【図１】（ａ）は第１実施形態の車線変更時の安全制御装置の電気ブロック図、（ｂ）は、レーザー投射部の電気ブロック図。
【図２】第１実施形態の車線変更時の安全制御装置を搭載する車両の平面図。
【図３】第１実施形態の車線変更時の安全制御装置の作用の説明図。
【図４】第２実施形態の車線変更時の安全制御装置の電気ブロック図。
【図５】第２実施形態の車線変更時の安全制御装置の作用の説明図。
【図６】第３実施形態の車線変更時の安全制御装置の電気ブロック図。
【図７】第３実施形態の車線変更時の安全制御装置を搭載する車両の平面図。
【図８】第３実施形態の車線変更時の安全制御装置の作用の説明図。
【発明を実施するための形態】
【００１２】
（第１実施形態）
以下、本発明の車線変更時の安全制御装置を具体化した第１実施形態について図１〜図３を参照して説明する。
【００１３】
図２に示す車両Ｃには、図１（ａ）に示す車線変更時の安全制御装置１０（以下、単に安全制御装置１０という）が搭載されている。
安全制御装置１０はボデイＥＣＵ（Electronic Control Unit）２０と、ボデイＥＣＵ２０にそれぞれ接続されたターンシグナルスイッチ２２、オンオフスイッチ３０、ナビゲーション装置３２、及びプロジェクタの一例であるレーザー投射部４０を備える。なお、レーザー投射部４０は、後述するように一対備えているが、図２では、説明の便宜上、一方のレーザー投射部４０のみを図示している。
【００１４】
（ターンシグナルスイッチ２２）
ターンシグナルスイッチ２２は、ドライバの操作により方向指示を入力するためのスイッチであって、例えば、ドライバ席に設けられた図示しないステアリングコラムから伸びたレバーに作動連結されている。ターンシグナルスイッチ２２は、右方向指示ＯＮ、左方向指示ＯＮ及びＯＦＦのいずれかの信号をボデイＥＣＵ２０に入力する。運転中のドライバによる前記レバーの右操作により、右方向指示ＯＮを入力すると、ボデイＥＣＵ２０は、車両Ｃに設けられた右側のターンシグナル（図示しない）を点滅させる。また、運転中のドライバによる前記レバーの左操作により、左方向指示ＯＮを入力すると、ボデイＥＣＵ２０は、車両Ｃに設けられた左側のターンシグナル（図示しない）を点滅させる。
【００１５】
（オンオフスイッチ３０）
オンオフスイッチ３０は、ドライバ席の前の図示しないインストルメントパネルに設けられて、ドライバの操作によりオン信号またはオフ信号がボデイＥＣＵ２０に出力される。オンオフスイッチ３０から、オン信号が入力されると安全制御装置１０による安全制御が可能であり、オフ信号が入力されると安全制御装置１０による安全制御の無効化が可能である。オンオフスイッチ３０は、選択部の一例である。オンオフスイッチ３０から出力されるオン信号は有効化信号に相当し、前記オフ信号は無効化信号に相当する。
【００１６】
（ナビゲーション装置３２）
ナビゲーション装置３２は、図示しないインストルメントパネル等に設けられている。ナビゲーション装置３２は、図示しないが地図情報等を記憶した記憶媒体と、車両の現在地情報を受信するＧＰＳアンテナと、車両の現在地に関する情報や目的地までの走行ルートなどの各種情報を表示する図示しないディスプレイと、制御装置とを備える。
【００１７】
前記ディスプレイは、タッチパネル、或いは各種操作ボタンを備えており、前記制御装置はドライバ等の操作者による各種指示を入力可能である。
前記制御装置は、前記操作者による各種指示に応じて、例えば、走行ルートの検出、及びその結果を前記ディスプレイに表示制御する。
【００１８】
また、前記各種操作ボタンには、安全制御装置１０の制御の有効化、または無効化を選択する操作ボタンを備えている。操作者の操作により前記操作ボタンが操作されてオン信号またはオフ信号がボデイＥＣＵ２０に出力される。そして、ナビゲーション装置３２から、オン信号が入力されると安全制御装置１０による安全制御が可能であり、オフ信号が入力されると安全制御装置１０による安全制御の無効化が可能である。ナビゲーション装置３２は選択部の一例である。ナビゲーション装置３２から出力されるオン信号は有効化信号に相当し、オフ信号は無効化信号に相当する。
【００１９】
（レーザー投射部４０）
図２に示すようにレーザー投射部４０は、ドアに取りつけた左右一対のアウトサイドミラー１２にそれぞれ設けられている。図２では、アウトサイドミラー１２は、車両Ｃのドアに取付けられている。なお、レーザー投射部４０の車両Ｃに対する取付け部位は、アウトサイドミラー１２に限定されるものではなく、車両Ｃの右側面側及び左側面側に設けられていてもよい。また、レーザー投射部４０は、車両Ｃのルーフに設けられていてもよい。
【００２０】
車両Ｃの右側に設けられたレーザー投射部４０は、車両Ｃの右側方であって、車両Ｃが走行しているレーン（以下、自レーンという）に隣接する他レーン（この場合は、右レーンとなる）の路面に向けて、光ビームスポットを投射（照射）するように配置される。
【００２１】
また、車両Ｃの左側に設けられたレーザー投射部４０は、車両Ｃの左側方であって、自レーンに隣接する他レーン（この場合は、左レーンとなる）の路面に向けて、光ビームスポットを投射（照射）するように配置される。
【００２２】
このようにして、本実施形態では、レーザー投射部４０のレーザーの投射方向は、車両Ｃの左右両側方のレーンの路面に投射可能である。
図１（ｂ）に示すようにレーザー投射部４０は、ビーム発生器４２と、ビーム整形レンズ４４と、偏光整形器４６と、スキャンアクチュエータ４８とを有する。ビーム発生器４２は、例えば、半導体レーザー装置で構成され、所定の波長の可視光を所定時間間隔で発生させる。なお、前記所定時間間隔とは、人の目の時間分解能である約５０ｍｓ〜１００ｍｓよりも短い時間間隔である。また、ビーム発生器４２は、ボデイＥＣＵ２０の制御により、光ビームの光源の輝度の変更が可能である。ビーム発生器４２が発生させる光は、可視光であればどのような波長の光であってもよい。
【００２３】
ビーム整形レンズ４４は、ビーム発生器４２で発生した光ビームを整形する。偏光整形器４６は、ビーム整形レンズ４４から出力された光ビームの入射面に垂直な成分の一部を反射させることにより光ビームを偏光させる。
【００２４】
スキャンアクチュエータ４８は、例えば、ガルバノメータスキャナー、回転型モータースキャナー、レゾナントスキャナー、光ＭＥＭＳ（Micro Electro Mechanical Systems）スキャナー、ポリゴンミラー等を利用することができる。前記スキャンアクチュエータ４８は、偏光整形器４６で偏光された光ビームを所望の方向に投射させる。すなわち、スキャンアクチュエータ４８からの光ビームは、車両Ｃの右側に設けられたレーザー投射部４０では、車両Ｃの右側方に投射され、車両Ｃの左側に設けられたレーザー投射部４０では、車両Ｃの左側方に投射される。
【００２５】
本実施形態では、ボデイＥＣＵ２０がスキャンアクチュエータ４８とビーム発生器４２を制御することにより、可視光であるレーザービームにて所定パターンを路面上に形成する。前記所定パターンのデータは、ボデイＥＣＵ２０が備えている図示しない記憶部に格納されており、レーザー投射部４０に前記所定パータンを投射する際に読み出される。なお、前記所定時間間隔で光ビームが路面上に投射されるとスポット状となるが、スキャンアクチュエータ４８により、このスポット状の光ビームが投射されることにより、図３に示すように所定パターンＰ１が描かれる。そして、人の視角上では、残像効果により、前記スポット状の光ビームは認識されず、所定パターンＰ１として認識される。この所定パターンＰ１は、車間距離確認パターンに相当する。
【００２６】
本実施形態のレーザー投射部４０から投射する所定パターンＰ１は、例えば「車線変更します」等の車線を変更する旨のメッセージ文であって、車両Ｃの後続車両Ｃ１のドライバが読むことができるように投射される。従って、一対のレーザー投射部４０により、メッセージ文を車両Ｃの側方（左側方、右側方）にある右レーンの路面または左レーンの路面に対して選択的に投射することが可能である。
【００２７】
また、前記所定パターンＰ１において、車両が走行している進行方向における長さは、車両Ｃの全長に後続車両との適正な車間距離の長さが加算された値以上のものが好ましい。なお、本実施形態における適正な車間距離とは、高速道路を除く一般道路の走行において安全な車間距離として採用されている距離である。通常、一般道路では、走行時の車速は６０ｋｍ／ｈまでとなっており、この６０ｋｍ／ｈを基準にし後続車両との車間距離が採用されている。なお、図３では、所定パターンＰ１は、説明の便宜上、短くして投射されている。
【００２８】
（ボデイＥＣＵ２０）
ボデイＥＣＵ２０は、ターンシグナルスイッチ２２からの各種信号、並びにオンオフスイッチ３０及びナビゲーション装置３２からのオン信号、オフ信号を入力し、これらの入力した各種信号に基づいて、レーザー投射部４０を制御する。ボデイＥＣＵ２０は、制御部に相当する。
【００２９】
すなわち、オンオフスイッチ３０及びナビゲーション装置３２からのオン信号がともに入力されている場合、ボデイＥＣＵ２０は、ターンシグナルスイッチ２２から右方向指示ＯＮ信号を入力すると、車両Ｃの右側に設けられたレーザー投射部４０を投射制御する。また、オンオフスイッチ３０及びナビゲーション装置３２からのオン信号がともに入力されている場合、ボデイＥＣＵ２０は、ターンシグナルスイッチ２２から左方向指示ＯＮ信号を入力すると、車両Ｃの左側に設けられたレーザー投射部４０を投射制御する。右方向指示ＯＮ信号及び左方向指示ＯＮ信号は、投射指示信号に相当する。また、ターンシグナルスイッチ２２は、投射指示部に相当する。
【００３０】
（第１実施形態の作用）
上記のように構成された安全制御装置１０の作用を説明する。
まず、オンオフスイッチ３０及びナビゲーション装置３２が操作されていて、それぞれオン信号がボデイＥＣＵ２０に入力されている場合について説明する。
【００３１】
図３に示すようにレーンＬ１を自レーンとして車両Ｃを走行させている状態でドライバが、例えば、他レーンである右レーンＬ２に車線変更したい場合、ターンシグナルスイッチ２２を右操作すると、ターンシグナルスイッチ２２は、右方向指示ＯＮ信号をボデイＥＣＵ２０に出力する。
【００３２】
ボデイＥＣＵ２０は、入力した右方向指示ＯＮ信号に基づいて、レーザー投射部４０を制御して、車両Ｃの右側に設けられたレーザー投射部４０を投射制御して、車両Ｃの側方（右側方）へ向けて右レーンＬ２の路面上に所定パターンＰ１を投射する。
【００３３】
ボデイＥＣＵ２０は、この所定パターンの投射を所定時間保持した後、レーザー投射部４０を停止制御する。所定時間は、例えば、投射を開始してから３秒であるが、３秒に限定するものではなく、他の時間であってもよい。また、前記所定時間としては、前記ターンシグナル（図示しない）の点滅の所定回数分の時間に設定してもよい。
【００３４】
上記のように右レーンＬ２の路面に所定パターンＰ１が投射されることにより、右レーンＬ２を走行する車両Ｃの後続車両Ｃ１のドライバに対して、車両Ｃが、車線変更をすることを報知（すなわち、予告）する。
【００３５】
また、車両Ｃのドライバは、投射された所定パターンＰ１から後続車両Ｃ１までの距離を目視で計測し、この所定パターンＰ１から後続車両Ｃ１までの距離が、車線変更するのに十分な距離か否かを判断する。所定パターンＰ１から後続車両Ｃ１までの距離が、車線変更するのに十分な距離である場合は、車両Ｃのドライバは、ステアリングホイールを操作して右レーンに車線変更をする。
【００３６】
左レーンに車線変更する場合、上記説明文の中で「右」を「左」とすれば、左レーンへの車線変更の説明となるので、その説明を省略する。
なお、オンオフスイッチ３０及びナビゲーション装置３２の少なくともいずれか一方がオフ操作されていて、そのオフ信号がボデイＥＣＵ２０に入力されている場合、ターンシグナルスイッチ２２から、右方向指示ＯＮ信号、または左方向指示ＯＮ信号が出力されても、ボデイＥＣＵ２０は、レーザー投射部４０の投射制御を行わない。
【００３７】
本実施形態によれば、以下のような効果を得ることができる。
（１）本実施形態の安全制御装置１０は、車両Ｃに搭載され、車両Ｃが走行する自レーンに隣接した他レーンである右レーンと左レーンのうち、いずれか一方の他レーンの路面に対して、所定パターン（車間距離確認パターン）を投射するレーザー投射部４０を備えている。また、安全制御装置１０は、右レーンまたは左レーンのうちいずれか一方の他レーンへの投射指示信号（右方向指示ＯＮ信号及び左方向指示ＯＮ信号）を出力するターンシグナルスイッチ２２（投射指示部）を備えている。また、安全制御装置１０は、ターンシグナルスイッチ２２（投射指示部）の右方向指示ＯＮ信号及び左方向指示ＯＮ信号（投射指示信号）に基づいて、いずれか一方の他レーンの路面に対して、レーザー投射部４０（プロジェクタ）を制御して所定パターン（車間距離確認パターン）を投射させるボデイＥＣＵ２０（制御部）を備えている。
【００３８】
この結果、本実施形態によれば、自車両を車線変更する場合に、自車両と他レーンを走行する他車両との間に自車両が入るスペースが十分にあるか否かを確認できて、安全に車線変更を行うことができる。また、他レーンの後続車両に対して自車両が車線変更する際に必要なスペースを示すことができる。
【００３９】
（２）本実施形態では、所定パターンＰ１は車両が走行している進行方向における長さは、車両Ｃの全長に後続車両との適正な車間距離分の長さが加算された値以上のものとしている。このため、車線が変更された後は、後続車両との車間距離が確保することができる。
【００４０】
（３）本実施形態の安全制御装置１０は、投射指示部をターンシグナルスイッチ２２としている。この結果、本実施形態によれば、ターンシグナルスイッチの操作に基づいて、制御部は、レーザー投射部を制御して車間距離確認パターンを投射することができる。
【００４１】
（第２実施形態）
次に、第２実施形態の安全制御装置１０を図４及び図５を参照して説明する。
なお、第２実施形態を含めて以下の実施形態では安全制御装置１０の構成中、第１実施形態の安全制御装置１０と同一または相当する構成については、同一符号を付してその説明を省略し、異なる構成について説明する。
【００４２】
第２実施形態の安全制御装置１０は、第１実施形態の安全制御装置１０の構成に、車速センサ２４が設けられているところが異なっている。車速センサ２４は、車両Ｃの車速を検出して、その検出信号をボデイＥＣＵ２０に出力する。
【００４３】
ボデイＥＣＵ２０は、車速センサ２４及びターンシグナルスイッチ２２からの信号、並びにオンオフスイッチ３０及びナビゲーション装置３２からのオン信号、オフ信号を入力し、これらの入力した各種信号に基づいて、レーザー投射部４０を制御する。
【００４４】
（第２実施形態の作用）
次に、第２実施形態の安全制御装置１０の作用を説明する。
まず、オンオフスイッチ３０及びナビゲーション装置３２が操作されていて、それぞれオン信号がボデイＥＣＵ２０に入力されている場合について説明する。
【００４５】
図５に示すようにレーンＬ１を自レーンとして車両Ｃを走行させている状態でドライバが、例えば、他レーンである右レーンＬ２に車線変更したい場合、ターンシグナルスイッチ２２を右操作する。すると、ターンシグナルスイッチ２２は、右方向指示ＯＮ信号をボデイＥＣＵ２０に出力する。
【００４６】
ボデイＥＣＵ２０は、入力した右方向指示ＯＮ信号及び車速センサ２４が検出した車速に基づいて、レーザー投射部４０を制御して、車両Ｃの右側に設けられたレーザー投射部４０を投射制御して、車両Ｃの側方（右側方）へ向けて右レーンＬ２の路面上に所定パターンＰａ〜Ｐｃのいずれか１つを投射する。
【００４７】
本実施形態では、所定パターンＰａ〜Ｐｃは、長方形をなす枠状のパターンとなっており、その長手方向が車両Ｃの進行方向に沿うように投射される。前記所定パターンの幅は、好ましくは、レーンの幅がよいが、限定するものではない。
【００４８】
また、所定パターンの車両Ｃが走行している進行方向の長さは、車速に応じて可変となっており、最小長の所定パターンＰａ（図５では一点鎖線で示されている）は、車両Ｃの全長に等しいように設定されている。この最小長の所定パターンＰａは、例えば、高速道路を除いた一般道路で許容されている法定速度（一般に６０ｋｍ／ｈ）以下の時速の場合に投射される。また、車両Ｃの車速が６０ｋｍ／ｈを超えて８０ｋｍ／ｈまでは、所定パターンＰａよりも車両進行方向において前端が前方へ、また後端が後方へ、それぞれ位置させて全長を長くした所定パターンＰｂ（図５では実線で示されている）が投射される。車両Ｃの車速が８０ｋｍ／ｈを超えて１００ｋｍ／ｈまでは、所定パターンＰｂよりも車両進行方向において、さらに前端を前方へ、及び後端を後方へ、それぞれ位置させて全長を長くした所定パターンＰｃ（図５では、二点鎖線で示されている）が投射される。
【００４９】
本実施形態では、車速が速いほど、前記所定パターンは段階的に長くなるように投射され、車速が遅くなるほど段階的にその長さが短くなるように投射される。
このようにする理由は、一般に、車線変更する場合に他レーンに後続車両があるときは、その後続車両と同速度以上で行う必要がある。この場合、自車両の車速が速くなればなるほど、後続車両との車間距離もそれに応じて確保する必要があるため、所定パターンの後端を、より後方へ位置させるのである。
【００５０】
また、図示はしていないが、他レーンへ車線変更する場合、その他レーンに先行車両が走行していることもある。この場合、先行車両との車間距離も確保する必要があるため、所定パターンの前端側を、より前方（車両進行方向）へ、位置させるのである。
【００５１】
なお、前記各パターンが投射される車速の範囲幅は、例示であって、これらの車速の範囲幅に限定するものではなく、種々の範囲の設定が可能である。
本実施形態では、所定パターンは、車速に応じて３段階の長さで投射するようにしている。
【００５２】
ボデイＥＣＵ２０は、この所定パターンの投射を所定時間（例えば３秒間）保持した後、レーザー投射部４０を停止制御する。
上記のように右レーンＬ２の路面に所定パターンＰａ〜Ｐｃのいずれか１つが投射されることにより、右レーンＬ２を走行する後続車両Ｃ１のドライバに対して、車両Ｃによる車線変更が報知（すなわち、予告）される。
【００５３】
また、車両Ｃのドライバは、投射された所定パターンＰａ〜Ｐｃから後続車両Ｃ１までの距離を目視で計測し、この所定パターンＰａ〜Ｐｃから後続車両Ｃ１までの距離が、車線変更するのに十分な距離か否かを判断する。所定パターンＰａ〜Ｐｃから後続車両Ｃ１までの距離が、車線変更するのに十分な距離である場合は、車両Ｃのドライバは、ステアリングホイールを操作して右レーンに車線変更をする。
【００５４】
左レーンに車線変更する場合、上記説明文の中で「右」を「左」とすれば、左レーンへの車線変更の説明となるので、その説明を省略する。
なお、オンオフスイッチ３０及びナビゲーション装置３２の両方またはいずれか一方がオフ操作されていて、そのオフ信号がボデイＥＣＵ２０に入力されている場合、ターンシグナルスイッチ２２から、右方向指示ＯＮ信号または左方向指示ＯＮ信号が出力されても、ボデイＥＣＵ２０はレーザー投射部４０の投射制御を行わない。
【００５５】
本実施形態によれば、以下のような効果を得ることができる。
（１）本実施形態の安全制御装置１０は、車両Ｃの車速を検出する車速センサ２４を備えている。また、安全制御装置１０のボデイＥＣＵ２０（制御部）は、車速が速い場合は、遅い場合に比して、所定パターン（車間距離確認パターン）を車両Ｃの進行方向において長くなるようにレーザー投射部４０を制御する。
【００５６】
この結果、車両の車速が速いほど車間距離確認パターンを車両（自車両）の進行方向において、長くすることができるため、車両の速度に応じた車間距離確認パターンで、他レーンを走行する他車両との間に自車両が入るスペースが十分にあるか否かを確認できる。
【００５７】
また、車両の車速に応じて異なる長さの所定パターンが投射されて、後続車両のドライバに対して、この所定パターンで示された範囲内に車両が他レーンに車線変更することを報知（すなわち、予告）できる。
【００５８】
（第３実施形態）
次に、第３実施形態の安全制御装置１０を図６〜図８を参照して説明する。
第３実施形態の安全制御装置１０は、第１実施形態の安全制御装置１０の構成に加えて、一対のレーダーセンサ２８が設けられているところが異なっている。なお、図６では、説明の便宜上、１つのレーダーセンサ２８のみが図示されている。図７に示すように、一対のレーダーセンサ２８は、車両Ｃの後部の左右両側に配置されている。レーダーセンサ２８は、本実施形態ではミリ波レーダにて構成されている。レーダーセンサ２８は、相対速度取得部の一例である。
【００５９】
車両Ｃの後部の右側に設けられたレーダーセンサ２８は、車両Ｃ後部右側から斜め右後方の右レーンの所定領域に向けてミリ波帯の電波を放射する送信部（図示しない）と、当該所定領域内の後続車両Ｃ１からの反射波を受信する受信部（図示しない）と、センサＥＣＵ（図示しない）を有する。なお、所定領域は、レーダーセンサ２８が後続車両を検出できる領域のことである。
【００６０】
車両Ｃの後部の右側に設けられたレーダーセンサ２８の前記センサＥＣＵ（図示しない）は、前記反射波等に基づき、公知の演算を行うことによって前記後続車両Ｃ１と車両Ｃ（自車両）の関係を示す後続車両情報、例えば、後続車両の有無、自車両を基準とする後続車両Ｃ１の相対速度、相対距離及び方位を所定の制御周期で取得可能である。なお、相対速度は、「後続車両の車速−自車両の車速」である。
【００６１】
ミリ波レーダは、パルスレーダー方式、ＣＷ波方式等の種々の方式があるが、いずれも使用することが可能である。また、方位検出のためのスキャニングは、メカニカルスキャン方式、電子スキャンのいずれであってもよい。
【００６２】
車両Ｃの後部の左側に設けられたレーダーセンサ２８は、車両Ｃ後部左側から斜め左後方の左レーンの所定領域に向けてミリ波帯の電波を放射する送信部（図示しない）と、当該所定領域内の後続車両Ｃ１からの反射波を受信する受信部（図示しない）及びセンサＥＣＵ（図示しない）を有する。なお、車両Ｃの後部の左側に設けられたレーダーセンサ２８は、後部の右側側に設けられたレーダーセンサ２８と機能的には同じ構成を有しているため、重複説明を省略する。
【００６３】
（第３実施形態の作用）
次に、第３実施形態の安全制御装置１０の作用を説明する。
まず、オンオフスイッチ３０及びナビゲーション装置３２が操作されていて、それぞれオン信号がボデイＥＣＵ２０に入力されている場合について説明する。
【００６４】
なお、本実施形態では、車両Ｃが走行中は、一対のレーダーセンサ２８は、常にオン状態となっており、車両Ｃが走行する自レーンに隣接する左右のレーンの後続車両の有無検出等を行うようになっている。
【００６５】
図８に示すようにレーンＬ１を自レーンとして車両Ｃを走行させている状態でドライバが、例えば、他レーンである右レーンＬ２に車線変更したい場合、ターンシグナルスイッチ２２を右操作すると、ターンシグナルスイッチ２２は、右方向指示ＯＮ信号をボデイＥＣＵ２０に出力する。
【００６６】
図８に示すように、右レーンＬ２において、右側に設けられたレーダーセンサ２８の所定領域Ｓに後続車両Ｃ１がある場合は、当該レーダーセンサ２８から後続車両Ｃ１が存在するとして後続車両の有の検出結果と、その相対速度を含む後続車両情報がボデイＥＣＵ２０に入力される。ボデイＥＣＵ２０は、入力した右方向指示ＯＮ信号及びレーダーセンサ２８からの相対速度に基づいて、レーザー投射部４０を制御して、車両Ｃの右側に設けられたレーザー投射部４０を投射制御して、車両Ｃの側方（右側方）へ向けて右レーンＬ２の路面上に所定パターンＰｄ〜Ｐｆのいずれか１つを投射する。
【００６７】
本実施形態では、所定パターンＰｄ〜Ｐｆは、長方形をなす枠状のパターンとなっており、その長手方向が車両Ｃの進行方向に沿うように投射される。前記所定パターンの幅は、好ましくは、レーンの幅がよいが、限定するものではない。
【００６８】
また、所定パターンの車両Ｃが走行している進行方向の長さは、前記相対速度に応じて可変となっている。
図８の実線で示す所定パターンＰｄは、相対速度が０ｋｍ／ｈの場合であり、車両Ｃの全長に後続車両との適正な車間距離分の長さが加算された値以上のものに設定されている。
【００６９】
また、図８の一点鎖線で示す所定パターンＰｅは、相対速度が正の値の場合であり、所定パターンＰｄよりも、後端が、後方（すなわち、車両Ｃの反進行方向）に位置するように、所定パターン全体を長くしたものである。このようにする理由は、相対速度が正の値の場合は、後続車両Ｃ１が車両Ｃに接近してくることを意味しており、所定パターンＰｄよりも後端を後方へ位置させることにより、早期に後続車両との適正な車間距離がとれなくなるのを車両Ｃのドライバが認識させるようにするためである。
【００７０】
また、図８の二点鎖線で示す所定パターンＰｆは、相対速度が負の値の場合であり、所定パターンＰｄよりも、後端を前方へ位置させている。このようにする理由は、相対速度が負の値の場合は、後続車両Ｃ１が車両Ｃから離間しつつあることを意味しており、所定パターンＰｄの後端よりもその後端を前方へ位置させることにより、後続車両との適正な車間距離が早期に得られることを車両Ｃのドライバが認識させるためである。
【００７１】
本実施形態では、相対速度が正の値、０、又は負の値で段階的に所定パターンの長さを設定している。
ボデイＥＣＵ２０は、この所定パターンの投射を所定時間（例えば３秒間）保持した後、レーザー投射部４０を停止制御する。
【００７２】
上記のように右レーンＬ２の路面に所定パターンＰｄ〜Ｐｆのいずれかが投射されることにより、右レーンＬ２を走行する後続車両Ｃ１のドライバに対して、車両Ｃによる車線変更が報知（すなわち、予告）される。
【００７３】
また、車両Ｃのドライバは、投射された所定パターンＰｄ〜Ｐｆから後続車両Ｃ１までの距離を目視で計測し、この所定パターンＰａ〜Ｐｃから後続車両Ｃ１までの距離が、車線変更するのに十分な距離か否かを判断する。所定パターンＰｄ〜Ｐｆから後続車両Ｃ１までの距離が、車線変更するのに十分な距離である場合は、車両Ｃのドライバは、ステアリングホイールを操作して右レーンに車線変更をする。
【００７４】
左レーンに車線変更する場合、上記説明文の中で「右」を「左」とすれば、左レーンへの車線変更の説明となるので、その説明を省略する。
また、ターンシグナルスイッチ２２から、右方向指示ＯＮ信号（または左方向指示ＯＮ信号）が入力された際、右側（または左側）に設けられたレーダーセンサ２８の所定領域Ｓに後続車両Ｃ１がない場合は、当該レーダーセンサ２８から後続車両Ｃ１が存在しないとして後続車両の無の検出結果となっている。この場合は、右方向指示ＯＮ信号、または左方向指示ＯＮ信号が出力されても、ボデイＥＣＵ２０は、レーザー投射部４０の投射制御を行わない。
【００７５】
また、本実施形態においても、オンオフスイッチ３０及びナビゲーション装置３２のいずれか一方がオフ操作されていて、そのオフ信号がボデイＥＣＵ２０に入力されている場合、ターンシグナルスイッチ２２から、右方向指示ＯＮ信号、または左方向指示ＯＮ信号が出力されても、ボデイＥＣＵ２０は、レーザー投射部４０の投射制御を行わない。
【００７６】
本実施形態によれば、第１実施形態の効果に加えて、さらに以下のような効果を得ることができる。
（１）本実施形態の安全制御装置１０は、他レーンを走行する後続車両Ｃ１と、車両Ｃ（自車両）との相対速度を取得するレーダーセンサ２８（相対速度取得部）を備えている。また、ボデイＥＣＵ２０（制御部）は、相対速度が正の値の場合は、相対速度が０の場合に比して、所定パターン（車間距離確認パターン）の後端を後方へ位置するようにレーザー投射部４０を制御する。
【００７７】
この結果、本実施形態によれば、相対速度が正の値の場合は、後続車両が接近していることから、所定パターンを車両Ｃの進行方向において後端を後方へ位置させて、相対速度に応じて自車両のスペースがあるかを確認することができる。また、接近してくる後続車両に対して、自車両との車間距離が十分にあるか否かを早めに確認させることができる。
【００７８】
（２）本実施形態の安全制御装置１０のボデイＥＣＵ２０（制御部）は、相対速度が負の値の場合は、相対速度が０の場合に比して、所定パターンの後端を前方へ位置させるようにレーザー投射部４０を制御する。
【００７９】
この結果、本実施形態では、相対速度が負の値の場合は、後続車両が離間していく状態にあることから、相対速度が０の場合に比して、所定パターンの後端を前方へ位置させて、相対速度に応じて自車両のスペースがあるかを確認することができる。また、離間していく後続車両に対して、自車両との車間距離が十分にあるか否かを早めに確認させることができる。
【００８０】
なお、本実施形態は以下のように変更してもよい。
・上記した各実施形態では、プロジェクタの一例としてレーザー投射部４０としたが、プロジェクタは、レーザー投射部４０に限定するものではなく、他の方式、例えば、ＤＬＰ（デジタル・ライト・プロセッシング）プロジェクタ、液晶プロジェクタ等のプロジェクタを使用してもよい。
【００８１】
・第１実施形態における「適正な車間距離」とは、高速道路を除く一般道路の走行において安全な車間距離として採用されている距離としたが、逆に一般道路を除く高速道路を走行する際において安全な車間距離としてもよい。
【００８２】
この場合、通常、高速道路では、走行時の車速は８０ｋｍ／ｈ、または、１００ｋｍ／ｈまでとなっており、この８０ｋｍ／ｈまたは１００ｋｍ／ｈを基準にして後続車両との車間距離を採用すればよい。
【００８３】
・第１実施形態における「適正な車間距離」を、高速道路を除く一般道路の走行において安全な車間距離としているが、ボデイＥＣＵ２０に切り替えスイッチを接続して、上記第１実施形態の変形例である高速道路における安全な車間距離と、一般道路における安全な車間距離とを選択的に切り替えられるようにしてもよい。このようにすれば、一般道路走行時と、高速道路走行時にそれぞれあった所定パターンを使用することができる。
【００８４】
・第２実施形態では、所定パターンは、車速に応じて３段階の長さで投射するようにしているが、段階数は、３段階に限定するものではなく、複数段階であればよい。また、車速が増加するにつれて、直線的に、或いは幾何級数的にその長さを長くするようにしてもよい。
【００８５】
・第３実施形態では、相対速度取得部をミリ波レーダで構成したが、相対速度取得部を、レーザ光を使用するレーザレーダ、或いは超音波を使用する超音波センサで構成してもよい。
【００８６】
・第３実施形態では、相対速度が正の値、０、又は負の値で段階的に所定パターンの長さを設定したが、所定パターンを相対速度に応じて、リニアに変化させるようにしてもよい。
【００８７】
・第２実施形態（上記変形例も含む）と、第３実施形態（上記変形例も含む）とを組み合わせてもよい。
・前記各実施形態では、ターンシグナルスイッチ２２を投射指示部としたが、ターンシグナルスイッチ２２とは独立して右レーン投射スイッチと左レーン投射スイッチを設けてもよい。右レーン投射スイッチと左レーン投射スイッチは、投射指示部の一例に相当するこの場合、ターンシグナルスイッチ２２のターン指示の操作に合わせて右レーン投射スイッチと左レーン投射スイッチのいずれかを操作すると、ボデイＥＣＵ２０は、右レーン投射スイッチまたは左レーン投射スイッチのオン信号（すなわち、投射指示信号）を入力する。ボデイＥＣＵ２０はこのオン信号の入力に応じてレーザー投射部４０を制御する。
【符号の説明】
【００８８】
１０…安全制御装置、２０…ボデイＥＣＵ（制御部）、
２２…ターンシグナルスイッチ（投射指示部）、２４…車速センサ、
２８…レーダーセンサ（相対速度取得部）、
３０…オンオフスイッチ、３２…ナビゲーション装置、
４０…レーザー投射部（プロジェクタ）、４２…ビーム発生器、
４４…ビーム整形レンズ、４６…偏光整形器、
４８…スキャンアクチュエータ、Ｃ…車両、Ｌ１…レーン。
【図１】
2017010079.tif 000003
【図２】
2017010079.tif 000004
【図３】
2017010079.tif 000005
【図４】
2017010079.tif 000006
【図５】
2017010079.tif 000007
【図６】
2017010079.tif 000008
【図７】
2017010079.tif 000009
【図８】
2017010079.tif 000010